(57)【要約】【課題】第１可動ユニットの筐体内部に、それとは異なる移動軌跡を有し、ＦＰＣが接続される第２可動ユニットを取り付け、防塵性を維持すること【解決手段】案内筒５０に固定された制御基板３０と、案内筒に対して移動可能な後群ユニットと、後群ユニットの筐体内部に取り付けられ、案内筒に対して５群レンズ保持枠とは異なる移動軌跡で移動可能な手振れ補正ユニットと、手振れ補正ユニット及び制御基板３０に電気的に接続されるＦＰＣ２０と、を有し、ＦＰＣは、案内筒に対する手振れ補正ユニットの移動を可能にする屈曲部２１と、案内筒に対する後群ユニットの移動を可能にする屈曲部２５と、を有する。【選択図】図１
2016099538.tif 000002
【特許請求の範囲】
【請求項１】
固定部と、
該固定部に固定された電子部品と、
前記固定部に対して移動可能な第１可動ユニットと、
該第１可動ユニットの筐体内部に取り付けられ、前記固定部に対して前記第１可動ユニットとは異なる移動軌跡で移動可能な第２可動ユニットと、
該第２可動ユニットおよび前記電子部品に電気的に接続されるフレキシブルプリント基板と、
を有し、
前記フレキシブルプリント基板は、前記固定部に対する前記第２可動ユニットの移動を可能にする第１屈曲部と、前記固定部に対する前記第１可動ユニットの移動を可能にする第２屈曲部と、を有することを特徴とする電子機器。
【請求項２】
前記電子機器はレンズ鏡筒であり、
前記第１可動ユニットは第１光学素子と第２光学素子を内部に有し、
前記第２可動ユニットは前記第１光学素子と前記第２光学素子の間に配置されていることを特徴とする請求項１に記載の電子機器。
【請求項３】
前記第１屈曲部は、前記固定部に対する前記第２可動ユニットの前記第１光学素子と前記第２光学素子の光軸方向の移動を可能にし、前記第２屈曲部は、前記固定部に対する前記第１可動ユニットの前記光軸方向の移動を可能にすることを特徴とする請求項２に記載の電子機器。
【請求項４】
前記第２可動ユニットは、
前記第１光学素子と前記第２光学素子の間に配置された第３光学素子と、
前記第３光学素子を前記第１光学素子と前記第２光学素子の光軸に直交する方向に移動させ、前記フレキシブルプリント基板によって電源と制御信号が供給される駆動手段と、
を更に有することを特徴とする請求項２または３に記載の電子機器。
【請求項５】
前記第１屈曲部と前記第２屈曲部で曲げられた前記フレキシブルプリント基板の一部は、前記第１光学素子と前記第２光学素子の光軸に直交する方向において重なっていることを特徴とする請求項２乃至４のうちいずれか１項に記載の電子機器。
【請求項６】
前記第１可動ユニットと前記第２可動ユニットをそれぞれ移動させるカム環を更に有することを特徴とする請求項１乃至５のうちいずれか１項に記載の電子機器。
【請求項７】
前記第２光学素子は、前記レンズ鏡筒において最も像側に配置される光学素子であることを特徴とする請求項２乃至６のうちいずれか１項に記載の電子機器。
【請求項８】
前記レンズ鏡筒が装着される撮像装置本体を更に有することを特徴とする請求項２乃至７のうちいずれか１項に記載の電子機器。
【発明の詳細な説明】
【技術分野】
【０００１】
本発明は、フレキシブルプリント基板（ＦＰＣ）を有する電子機器に関する。
【背景技術】
【０００２】
一端が第２可動ユニットに固定され、他端が固定部材に固定されるＦＰＣを有する電子機器において、第２可動ユニットの移動を確保するためにＦＰＣをＵ字状に設置することは知られている。例えば、特許文献１は、一端を固定筒に、他端を移動枠に保持され、移動枠の移動に応じてＵ字状の屈曲部が移動するＦＰＣを有するレンズ鏡筒を開示している。
【先行技術文献】
【特許文献】
【０００３】
【特許文献１】特開２０１３−２３１８９２号公報
【発明の概要】
【発明が解決しようとする課題】
【０００４】
電子機器の中には、第１可動ユニットの筐体内部に、それとは異なる移動軌跡を有し、ＦＰＣが接続される第２可動ユニットを取り付ける場合がある。この場合、第２可動ユニットと第１可動ユニットのそれぞれの異なる移動を確保しつつＦＰＣを第１可動ユニットの外部に導出しなければならないため、第１可動ユニット内部の第２可動ユニットが配置される空間の防塵性が低下するおそれがある。
【０００５】
本発明は、第１可動ユニットの筐体内部に、それとは異なる移動軌跡を有し、ＦＰＣが接続される第２可動ユニットを取り付け、防塵性を維持することが可能な電子機器を提供することを例示的な目的とする。
【課題を解決するための手段】
【０００６】
本発明の電子機器は、固定部と、該固定部に固定された電子部品と、  前記固定部に対して移動可能な第１可動ユニットと、該第１可動ユニットの筐体内部に取り付けられ、前記固定部に対して前記第１可動ユニットとは異なる移動軌跡で移動可能な第２可動ユニットと、該第２可動ユニットおよび前記電子部品に電気的に接続されるフレキシブルプリント基板と、を有し、前記フレキシブルプリント基板は、前記固定部に対する前記第２可動ユニットの移動を可能にする第１屈曲部と、前記固定部に対する前記第１可動ユニットの移動を可能にする第２屈曲部と、を有することを特徴とする。
【発明の効果】
【０００７】
本発明によれば、第１可動ユニットの筐体内部に、それとは異なる移動軌跡を有し、ＦＰＣが接続される第２可動ユニットを取り付け、防塵性を維持することが可能な電子機器を提供することができる。
【図面の簡単な説明】
【０００８】
【図１】本実施形態のレンズ鏡筒の断面図である。
【図２】図１に示す４群レンズ保持枠とその周辺の斜視図である。
【図３】図１に示す手振れ補正ユニットの正面図及び断面図である。
【図４】図１に示す５群レンズ保持枠の斜視図である。
【図５】図１に示す後群ユニットの斜視図である。
【図６】図５に示す後群ユニットの分解斜視図である。
【図７】図１に示すレンズ鏡筒の部分斜視図である。
【図８】図１に示す後群ユニットの断面図である。
【図９】図４に示すフレキシブルプリント基板の張り出し部の係合を示す斜視図である。
【図１０】比較例１のレンズ鏡筒の断面図である。
【図１１】図１０に示す比較例１の後群ユニットの斜視図である。
【図１２】比較例２のレンズ鏡筒の断面図である。
【図１３】比較例２の５群レンズ保持枠の斜視図である。
【発明を実施するための形態】
【０００９】
以下、本発明の電子機器の一例としてレンズ鏡筒（光学機器）を例に説明するが、本発明はこれに限定されず、フレキシブルプリント基板（ＦＰＣ）を使用する他の電子機器にも適用可能である。
【００１０】
図１は、本実施形態のレンズ鏡筒の断面図である。本実施形態のレンズ鏡筒はズームレンズであり、上図はワイド（広角）状態、下図はテレ（望遠）状態を示している。レンズ鏡筒は、被写体像を形成する撮影光学系を有し、不図示のカメラ本体（撮像装置本体）にマウントＭを介して交換可能に装着される。この場合、レンズ鏡筒とカメラ本体はカメラシステムを構成する。カメラ本体は、一眼レフカメラやミラーレスカメラなどに適用することができる。本発明の電子機器はカメラシステムにも適用することができる。
【００１１】
撮影光学系は、１群レンズＬ１、２群レンズＬ２、３群レンズＬ３、４群レンズＬ４、５群レンズＬ５（第１光学素子）、６群レンズＬ６（第３光学素子）、７群レンズＬ７（第２光学素子）、絞りユニット１４を有する。７群レンズＬ７はレンズ鏡筒において最も像側に配置される光学素子である。
【００１２】
２群レンズＬ２は、例えば、撮影者がズーム操作環６０を操作することによって、撮影光学系の光軸方向（図１に一点鎖線で示す）に移動されて焦点距離を変更するズームレンズ（変倍レンズ）（群）である。４群レンズＬ４は、撮影光学系の光軸方向に移動して焦点調節を行うフォーカスレンズとして機能する。６群レンズＬ６は、像振れ補正レンズ（防振レンズ）として機能し、撮影光学系の光軸に直交する方向に移動されて像振れを補正する。なお、「直交する方向」は光軸に直交する成分があれば足り、光軸に斜めに移動されてもよい。絞りユニット１４は、光量を調節する。
【００１３】
１群レンズＬ１は１群レンズ保持枠１に保持され、２群レンズＬ２は２群レンズ保持枠２に保持され、３群レンズＬ３は３群レンズ保持枠３に保持されている。また、４群レンズＬ４は４群レンズ保持枠４に保持され、５群レンズＬ５は５群レンズ保持枠５（筐体）に保持され、６群レンズＬ６は６群レンズ保持枠６に保持され、７群レンズＬ７は７群レンズ保持枠７に保持されている。絞りユニット１４は、５群レンズ保持枠５にビス止め固定されている。絞りユニット１４に設けられた不図示のモータが駆動することにより絞り羽が光路内に進入及び退避し、入射光束を制限して光量を調整する。
【００１４】
図２は、４群レンズ保持枠４及びその周辺の構成要素を示す斜視図である。同図に示すように、４群レンズ保持枠４は、係合部４ａ、４ｂを有する。係合部４ａは、光軸に平行なガイドバー１０ａと係合し、ガイドバー１０ａに沿って移動することができる。係合部４ｂは、光軸に平行なガイドバー１０ｂと係合し、ガイドバー１０ｂに沿って移動することができる。この結果、４群レンズ保持枠４はガイドバー１０ａ、１０ｂにガイド（案内）され、撮影光学系の光軸方向に移動することができる。
【００１５】
ガイドバー１０ａ、１０ｂは、それぞれ５群レンズ保持枠５に一端が支持され、もう一端はバーホルダー１１に保持されている。バーホルダー１１は、５群レンズ保持枠５にビスで固定されており、これにより、ガイドバー１０ａ，１０ｂが保持される。
【００１６】
５群レンズ保持枠５にはモータ１２がビスで固定されている。モータ１２の送りねじ１２ａにはモータ１２の回転を光軸方向の移動に変換するラック１３が噛み合っている。ラック１３は、係合部４ａに固定されている連結部４ｃに連結されている。モータ１２が駆動されると送りねじ１２ａが回転し、ラック１３と共に４群レンズ保持枠４が５群レンズＬ５に対して光軸方向に移動する。このように、４群レンズＬ４は、後群ユニットとして光軸方向に移動すると共に後群ユニットの中で他のレンズとは独立して光軸方向に移動することができる。
【００１７】
図３（ａ）は、ＦＰＣ２０が電気的に接続される手振れ補正ユニット（第２可動ユニット）の正面図、図３（ｂ）は図３（ａ）に示すＡ−Ａ線に沿った断面図である。手振れ補正ユニットは後群ユニットの５群レンズ保持枠５の内部（第１可動ユニットの筐体内部）に設けられている。図３（ａ）において、Ｏは光軸、Ｏ’は６群レンズＬ６の光軸を示している。手振れ補正ユニットは、６群レンズＬ６、６群レンズ保持枠６、６群ベース１６、アクチュエータ（駆動手段）１７、位置検出センサ１８、永久磁石１９を有する。
【００１８】
６群レンズ保持枠６は、６群ベース１６に対して光軸に直交する平面内で移動可能に支持されている。６群ベース１６は、光軸周りに３箇所のカムフォロア１６ａを有する。アクチュエータ１７は、６群レンズ保持枠６を光軸直交方向（図６に記載のＹ方向）に駆動するリニアアクチュエータであり、バックヨーク１７ａ、マグネット１７ｂ、フロントヨーク１７ｄにより閉磁路を形成する。コイル１７ｃは、マグネット１７ｂとフロントヨーク１７ｄｂの間に位置し、６群レンズ保持枠６に保持されている。ＦＰＣ２０からコイル１７ｃに通電がなされると光軸直交方向（図３（ａ）に示すＹ方向）への駆動力が発生する。位置検出センサ１８は、６群レンズ保持枠６に保持された永久磁石１９の磁束密度の強弱を検出することによって６群レンズ保持枠６の位置を検出する検出手段である。
【００１９】
電子部品であるアクチュエータ１７と位置検出センサ１８は、ＦＰＣ２０を介して制御基板（電子部品）３０に接続されている。アクチュエータ１７は、ＦＰＣ２０を介して駆動制御信号と電源が供給される。また、位置検出センサ１８にはＦＰＣ２０を介して電源が供給されると共に位置検出センサ１８の出力はＦＰＣ２０を介して制御基板３０に供給される。ＦＰＣ２０とアクチュエータ１７及び位置検出センサ１８のそれぞれとの接続は半田付けによって行われているが、コネクタを介して行われるなど本実施形態に限定されない。制御基板３０は、位置検出センサ１８からの検出結果に基づいてアクチュエータ１７の駆動を制御し、これにより、手振れを効果的に抑制することができる。
【００２０】
図４は、５群レンズ保持枠５の斜視図、図５は、後群ユニット（第１可動ユニット）の斜視図、図６は、後群ユニットの分解斜視図である。３群レンズＬ３、４群レンズＬ４、５群レンズＬ５及び７群レンズＬ７は後群ユニットとして一体に構成されている。
【００２１】
５群レンズ保持枠５は、７群レンズ支持部５ａ、３つのネジ穴部５ｂ、３つのカムフォロア取付部５ｃ、３つのカムフォロア穴５ｅ、ＦＰＣガイド部５ｆを有する。
【００２２】
７群レンズ支持部５ａは、略円筒形状を有し、７群レンズ保持枠７を支持する。７群レンズ支持部５ａには、後述する図１３に示す比較例１とは異なり、ＦＰＣガイド部５ｆに相当する部分が開口していない。
【００２３】
ネジ穴部５ｂは、７群レンズ保持枠７を固定する３つのビス（ネジ）Ｓが挿入されるネジ穴である。カムフォロア取付部５ｃは、カムフォロア５ｄが固定される。カムフォロア穴５ｅは、６群ベース１６のカムフォロア１６ａが貫通する穴である。ＦＰＣガイド部５ｆはＦＰＣ２０をガイドするための板状部材であり、その詳細については後述する。
【００２４】
図７は、レンズ鏡筒の部分斜視図である。４０はカム環であり、案内筒５０の外周に回転可能に嵌合されている。カム環４０が回転すると第１レンズ群Ｌ１〜第７レンズ群Ｌ７が光軸方向に移動する。案内筒５０には、１群レンズＬ１〜７群レンズ群Ｌ７を光軸方向に案内する直進ガイド溝が設けられており、１群レンズＬ１〜７群レンズＬ７を回転させずに光軸方向へ移動させる。
【００２５】
１群レンズ保持枠１に設けられたカムフォロア１ａは、カム環４０のカム溝４１と案内筒５０の直進ガイド溝５１に係合し、カム環４０が回転すると１群レンズ保持枠１は光軸方向に移動する。
【００２６】
２群レンズ保持枠２に設けられたカムフォロア２ａは、カム環４０のカム溝４２と案内筒５０の直進ガイド溝５２に係合し、カム環４０が回転すると２群レンズ保持枠２は光軸方向に移動する。
【００２７】
５群レンズ保持枠５に設けられたカムフォロア５ｄがカム環４０のカム溝４３と案内筒５０の直進ガイド溝５３に係合し、カム環４０が回転すると後群ユニットは光軸方向に一体的に移動する。
【００２８】
６群ベース１６に設けられたカムフォロア１６ａは、カム環４０のカム溝４４と案内筒５０の直進ガイド溝５３に係合し、カム環４０が回転すると６群ベース１６は光軸方向に移動する。なお、６群レンズＬ６は、両隣に位置し一体で移動する５群レンズＬ５及び７群レンズＬ７の間をこれらとは異なる軌跡で移動する。
【００２９】
手振れ補正ユニットは、７群レンズ支持部５ａの内側に位置している。５群レンズＬ５と６群レンズＬ６の位置関係は、カム環４０が回転すると変化し、手振れ補正ユニットが５群レンズ保持枠５の内部に位置していても、カム環４０が回転すると円滑な移動が可能である。
【００３０】
図８は、後群ユニットの光軸を含む断面図である。ＦＰＣ２０の一端は、６群ベース１６に固定され、帯状形状を有して導出される。まず、ＦＰＣ２０は、６群ベース１６に設けられたＦＰＣガイド部１６ｂにより、被写体側に（光軸に平行に）ガイドされ、延出されている。ＦＰＣガイド部１６ｂは、６群レンズ保持枠６の周囲に固定されて光軸方向に延びる外装部材の板状部６ａと、６群ベース１６のガイド部材１６ｃの光軸方向に延びる水平部によって規定される。ガイド部材１６ｃの垂直部と水平部に沿ってＦＰＣ２０が導出される。
【００３１】
ＦＰＣ２０は、屈曲部２１、２３、２５、平坦部２２、２４、２６、４つの張り出し部２７を有する。
【００３２】
屈曲部２１は、ＦＰＣガイド部１６ｂから導出されたＦＰＣ２０を像側に折り曲げるための、所定半径を有する断面Ｕ字状の屈曲部であり、半円の弧は被写体側に突出しており、像側に開口している。屈曲部２１で曲げられたＦＰＣ２０は平坦部２２となり、ＦＰＣガイド部５ｆの内面５ｇに接触し、ＦＰＣ自身の弾性力によって内面５ｇに沿って（光軸に平行に）像側に延出される。屈曲部２１は、６群レンズ保持枠６が光軸方向に移動する際の導通を確保するために設けられている。６群レンズ保持枠６が光軸直交方向に移動する際の導通はＦＰＣガイド部１６ｂよりも光軸側のＦＰＣ２０の撓みによって確保される。ＦＰＣ２０がＦＰＣガイド部１６によって折り曲げられる部分の位置ずれは、屈曲部２１、２５が移動しても殆ど生じない。
【００３３】
次に、内面５ｇに沿って導出されたＦＰＣ２０は、ＦＰＣガイド部５ｆの端部５ｈにおいて、屈曲部２３として再び被写体側に曲げられる。屈曲部２３で曲げられたＦＰＣ２０は平坦部２４となり、ＦＰＣガイド部５ｆの外面５ｉに接触し、それに沿って（光軸に平行に）被写体側に延出される。図４は、ＦＰＣガイド部５ｆの端部５ｈと外面５ｉを示している。ＦＰＣ２０が端部５ｈによって折り曲げられる下側と上側の部分の位置ずれは、屈曲部２１、２５が移動しても殆ど生じない。
【００３４】
端部５ｈの周りでＦＰＣ２０は、７群レンズ保持枠７の挟持部によって挟持されて固定される。７群レンズ保持枠７の挟持部は、図６と図８に示すように、被写体側に光軸に平行に延びる２つの板状の突出部７ａ、７ｂから構成され、突出部７ａと７ｂの間の溝部７ｃにＦＰＣ２０が取り付けられたＦＰＣガイド部５ｆの端部５ｈが挿入される。
【００３５】
次に、ＦＰＣ２０は、外面５ｉ上で屈曲部２５として再び像側に曲げられる。屈曲部２５は、所定半径を有する断面Ｕ字状の屈曲部であり、半円の弧は被写体側に突出しており、像側に開口している。屈曲部２１は、５群レンズ保持枠５が案内筒５０（に固定された制御基板３０に固定されたＦＰＣ２０の端部）に対して光軸方向に移動する際の導通を確保するために設けられている。屈曲部２５で屈曲されたＦＰＣ２０は平坦部２６となり、ＦＰＣガイド部５ｆの外面５ｉに接触し、それに沿って案内筒５０の内面を（光軸に平行に）被写体側に延出される。ＦＰＣガイド部５ｆは、図４及び図８に示すように、光軸側に折れ曲げられた部分５ｊから延びており、案内筒５０の内面５５とＦＰＣガイド部５ｆの外面５ｉとの間で所定半径の屈曲部２５を確保しやすい。図５は、屈曲部２５と平坦部２６と４つの張り出し部２７を示している。
【００３６】
図９は、ＦＰＣ２０の張り出し部２７と案内筒５０との係合を説明するための斜視図である。４つの張り出し部２７は平坦部２６から外側に突出している部分である。各張り出し部２７は、案内筒５０の保持部５６にＦＰＣ２０の弾性によって保持され、これにより屈曲部２５の一端が位置決め及び固定される。なお、ＦＰＣ２０は、同様の張り出し部を平坦部２２に有してもよい。
【００３７】
ＦＰＣ２０の平坦部２２、２４、２６は光軸に直交する方向に重なっている。これにより、径方向の小型化の効果を得ている。また、ＦＰＣ２０と案内筒５０の間に設けられた不図示の両面テープにより、屈曲部２５の一端を固定している。この後、ＦＰＣ２０の先端のコネクタ部が図８に示す制御基板３０のコネクタ部３１に接続される。
【００３８】
図１上図に示すワイド状態は図８と同じ状態であり、６群レンズＬ６と７群レンズＬ７は光軸方向に若干離れて配置されており、図１下図に示すテレ状態では、６群レンズＬ６と７群レンズＬ７は近接して配置されている。このため、図１上図における６群ベース１６から屈曲部２１までの距離は、図１下図におけるそれよりも短い。
【００３９】
また、５群レンズ保持枠５と案内筒５０に固定された制御基板３０までの光軸方向の距離は最小であり、屈曲部２５はもっとも像側にあり、図１下図に示すテレ状態では、屈曲部２５はもっとも被写体側にある。
【００４０】
このように、５群レンズＬ５と６群レンズＬ６の位置変化を屈曲部２１により吸収し、屈曲部２５により５群レンズ保持枠５と案内筒５０の位置変化を吸収している。
【００４１】
図１０は、比較例１のレンズ鏡筒の断面図であり、図１と同様に、上側はワイド状態、下側はテレ状態を示している。図１１は、比較例１の後群ユニットの斜視図である。
【００４２】
ＬＬ１は１群レンズ、ＬＬ２は２群レンズ、ＬＬ３は３群レンズ、ＬＬ４は４群レンズ、ＬＬ５は５群レンズ、ＬＬ６は６群レンズ、ＬＬ７は７群レンズである。図１０では、２群レンズＬＬ２がフォーカスレンズ、３群レンズＬＬ３、４群レンズＬＬ４、５群レンズＬＬ５、７群レンズＬＬ７がズームレンズとして機能する。１００８は各レンズ群を光軸方向に直進案内する案内筒である。１００９は各レンズ群を光軸方向に移動させるためのカム溝が設けられたカム環であり、案内筒１００８の外周を略光軸中心周りに回転させることで各レンズ群を光軸方向に移動させる。
【００４３】
図１０でも、６群レンズＬＬ６は手ぶれ補正を行うための防振レンズであり、それを保持する６群レンズ保持枠に、図１と同様のアクチュエータとＦＰＣ１０２０が取り付けられ、ＦＰＣ１０２０は制御基板１０１０に接続されている。
【００４４】
１群レンズＬＬ１、２群レンズＬＬ２、５群レンズＬＬ５、６群レンズＬＬ６はカム環１００９に設けられた別のカムに係合され、それぞれ異なる軌跡で移動する。本実施形態と同様に、３群レンズＬＬ３、４群レンズＬＬ４、７群レンズＬＬ７は５群レンズＬＬ５を保持する第５レンズ保部枠１００５と連結されて一体的に移動する。なお、５群レンズＬＬ５と７群レンズＬＬ７の間に別の軌跡で移動する６レンズ群ＬＬ６が配置されている。
【００４５】
比較例１は、７群レンズ保持枠７の５群レンズ保持枠１００５への固定方法と本実施形態とＦＰＣ１０２０の設置方法の点で異なる。
【００４６】
まず、図１１に示すように、７群レンズ保持枠は５群レンズ保持枠１００５へ３本の支柱１００５ａによって固定されている。３本足の支柱１００５ａは強度が低いため、７群レンズＬＬ７の保持精度が低下し易い。また、６群レンズＬＬ６と７群レンズＬＬ７の間であって隣接する支柱１００５ａの間には、開口Ｐが存在する。レンズ鏡筒が図１０に示すテレ状態になると、矢印Ｋで示すように、外部から埃や塵がレンズ鏡筒の内部に入り易くなる。その後、ワイド状態になると、レンズ鏡筒内部に侵入した埃や塵が開口Ｍから６群レンズＬＬ６と７群レンズＬＬ７の間に侵入し、これらのレンズに付着し易くなる。
【００４７】
ＦＰＣ１０２０は、６群レンズＬＬ６を保持する６群レンズ保持枠の一部に固定された固定部１０２０ｂと案内筒１００８部に設けられた固定部１０２０ｃと案内筒１００８と６群レンズ保持枠１００６との間にＵ字状の屈曲部１０２０ａが形成されている。ズーム操作により６群レンズ保持枠が光軸方向に移動すると、固定部１０２０ｂは光軸方向に移動し、固定部１０２０ｃは移動しない。比較例１は、１つの屈曲部が光軸方向に移動するのに対して本実施形態では、２つの屈曲部２１、２５が光軸方向に移動する。つまり、１つの屈曲部１０２０ａが、６群レンズ保持枠の光軸方向の移動と５群レンズ保持枠１００５の光軸方向の移動の両方を吸収している。
【００４８】
図１２は、比較例２のレンズ鏡筒の部分断面図であり、図１３は、図１２に示すレンズ鏡筒の５群レンズ保持枠２００５の斜視図である。比較例１の開口Ｐから埃や塵が６群レンズＬＬ６と７群レンズＬＬ７の間の空間に侵入することを防止するため、比較例２は、本実施形態と同様に、５群レンズ保持枠２００５によってこの空間を覆うと共に７群レンズ保持枠で７群レンズＬＬ７の周囲を覆っている。
【００４９】
図１２と図１３では、図５と同様に、７群レンズ保持枠を、第１保持部２０７０と第２保持部２０７５から構成し、７群レンズ支持部２００５ａと共に６群レンズＬＬ６と７群レンズＬＬ７の間の空間が露出することを防止している。
【００５０】
第１保持部２０７０は、光軸に垂直な水平部２０７１と７群レンズＬＬ７の周囲に配置された（略）垂直部２０７２を有する。第２保持部２０７５は、光軸に垂直な水平部２０７６と垂直部２０７２の外周に配置された垂直部２０７７を有する。垂直部２０７２、２０７７には周方向に７群レンズＬＬ７を姿勢を調節するためのコロがビス止めされる。
【００５１】
ＦＰＣ２０２０の一端は６群ベース２０１６に固定され、６群ベース２０１６に設けられたＦＰＣガイド部２０１６ｂにより、被写体側にガイドされ、（光軸方向に）延出されている。ＦＰＣ２０２０は、所定半径で形成されたＵ字状の屈曲部２０２０ａを有し、案内筒のＦＰＣガイド部２０５０にガイドされ、像面側に延出される。また、ＦＰＣ２０２０と案内筒ガイド部の間に設けられた不図示の両面テープにより、屈曲部の一端を固定している。この後、ＦＰＣ２０２０のコネクタ部が制御基板のコネクタ部に接続される。
【００５２】
比較例２でも、１つの屈曲部２０２０ａが、６群レンズ保持枠の光軸方向の移動と５群レンズ保持枠２００５の光軸方向の移動の両方を吸収している。このため、５群レンズ保持枠２００５は、図１３に示すように、６群レンズＬ６と案内筒２０５０との相対的な変位を吸収するための開口２００５ｂが必要になり、この開口２００５ｂから埃や塵が６群レンズＬＬ６と７群レンズＬＬ７の間の空間に侵入してしまう。図１２に示すＦＰＣガイド部２０１６ｂを、図８に示すＦＰＣガイド部５ｆのように、５群レンズ保持枠２００５の一部とすることはできない。このような構成にすると、６群レンズＬ６と案内筒２０５０との相対的な変位を吸収する部材が存在しなくなるため、６群レンズＬ６を案内筒２０５０に対して光軸方向に移動できなくなるからである。本実施形態の５群レンズ保持枠５は、図５に示すように、図１３に示す開口２００５ｂを有しないので、防塵性が向上している。
【００５３】
以上、本発明の実施例について説明したが、本発明はその要旨の範囲内で種々の変形及び変更が可能である。
【産業上の利用可能性】
【００５４】
本発明の電子機器は、撮像装置やレンズ鏡筒などフレキシブルプリント基板が接続される第２可動ユニットを、当該第２可動ユニットとは異なる移動軌跡を有する第１可動ユニットの内部に取り付けた電子機器に適用することができる。
【符号の説明】
【００５５】
５・・・５群レンズ保持枠（筐体）、２１・・・屈曲部（第１屈曲部）、２５・・・屈曲部（第２屈曲部）、３０・・・制御基板（電子部品）、５０・・・案内筒（固定部）
【図１】
2016099538.tif 000003
【図２】
2016099538.tif 000004
【図３】
2016099538.tif 000005
【図４】
2016099538.tif 000006
【図５】
2016099538.tif 000007
【図６】
2016099538.tif 000008
【図７】
2016099538.tif 000009
【図８】
2016099538.tif 000010
【図９】
2016099538.tif 000011
【図１０】
2016099538.tif 000012
【図１１】
2016099538.tif 000013
【図１２】
2016099538.tif 000014
【図１３】
2016099538.tif 000015